(57)【要約】【課題】複数のＶｏＬＴＥセル間でのハンドオーバが短時間に頻発することを防止することができる携帯端末および通信方法を提供する。【解決手段】ＶｏＬＴＥ網通信制御部９は、通信中のＶｏＬＴＥセルから受信した信号の品質またはレベルに基づいて、他のＶｏＬＴＥセルへのハンドオーバを制御する。３Ｇ網通信制御部１２は、ＶｏＬＴＥセル間でのハンドオーバの履歴が切替条件を満たしたときに、３ＧＰＰのセルと通信するように制御する。【選択図】図１
2016072643.tif 000002
【特許請求の範囲】
【請求項１】
通信中のＶｏＬＴＥセルから受信した信号の品質またはレベルに基づいて、他のＶｏＬＴＥセルへのハンドオーバを制御する第１通信制御部と、
ＶｏＬＴＥセル間でのハンドオーバの履歴が切替条件を満たしたときに、３ＧＰＰのセルと通信するように制御する第２通信制御部とを備えた、携帯端末。
【請求項２】
前記第２通信制御部は、前記ＶｏＬＴＥセルとの音声通信中に、ＶｏＬＴＥセル間でのハンドオーバの履歴が切替条件を満たしたときに、ユーザが３ＧＰＰのセルへの切り替えを許可した場合に、前記ＶｏＬＴＥセルとの通信接続を終了し、音声通信の再開のため３ＧＰＰのセルと通信接続する、請求項１記載の携帯端末。
【請求項３】
前記第２通信制御部は、前記ＶｏＬＴＥセルとのデータ通信中に、ＶｏＬＴＥセル間でのハンドオーバの履歴が切替条件を満たしたときに、遷移フラグをオンに設定し、
前記第２通信制御部は、前記ＶｏＬＴＥセルとのデータ通信後、音声発信時に、前記遷移フラグがオンの場合には、３ＧＰＰのセルと通信接続する、請求項１記載の携帯端末。
【請求項４】
前記第２通信制御部は、前記ＶｏＬＴＥセルとのデータ通信中に、ＶｏＬＴＥセル間でのハンドオーバの履歴が切替条件を満たしたときに、遷移フラグをオンに設定し、
前記第２通信制御部は、前記ＶｏＬＴＥセルとのデータ通信後、次のデータ発信時に、前記遷移フラグがオンの場合には、３ＧＰＰのセルと通信接続する、請求項１記載の携帯端末。
【請求項５】
前記第１通信制御部は、通信中のＶｏＬＴＥセルから受信した信号の品質またはレベルが第１の閾値以下に変化した場合に、他のＶｏＬＴＥセルへハンドオーバするように制御し、
通信中のＶｏＬＴＥセルから受信した信号の品質またはレベルが前記第１の閾値以下に変化したときの時刻の情報を含む遷移リストを作成する記録部を備え、
前記第２通信制御部は、通信中のＶｏＬＴＥセルから受信した信号の品質またはレベルが前記第１の閾値以下となった場合に、前記遷移リストを参照して、前記通信中のＶｏＬＴＥセルから受信した信号のレベルが閾値以下となった最後の時刻を特定し、現在時刻と前記最後の時刻との差が第２の閾値以下の場合に、前記第１通信制御部による他のＶｏＬＴＥセルへのハンドオーバを禁止するととともに、３ＧＰＰのセルへのハンドオーバを制御する、請求項１記載の携帯端末。
【請求項６】
通信中のＶｏＬＴＥセルから受信した信号の品質またはレベルに基づいて、他のＶｏＬＴＥセルへのハンドオーバを制御するステップと、
ＶｏＬＴＥセル間でのハンドオーバの履歴が切替条件を満たしたときに、３ＧＰＰのセルと通信するように制御するステップとを備えた、通信方法。
【発明の詳細な説明】
【技術分野】
【０００１】
本発明は、携帯端末および通信方法に関する。
【背景技術】
【０００２】
従来から、ＬＴＥ（Long Term Evolution））回線を用いて音声通話を行なうＶｏＬＴＥ（Voice Over Long Term Evolution）に準拠した無線基地局および携帯端末が知られている（たとえば、特許文献１を参照）。
【０００３】
また、通信中の通信方式と異なる通信方式のセルへのハンドオーバが可能な携帯端末も知られている（たとえば、特許文献２および３を参照）。
【先行技術文献】
【特許文献】
【０００４】
【特許文献１】特開２０１４−７５７３４号公報
【特許文献２】特開２０１３−１３５４５５号公報
【特許文献３】特開２０１３−２１４８６１号公報
【発明の概要】
【発明が解決しようとする課題】
【０００５】
複数のＶｏＬＴＥセルの境界に携帯端末を所持したユーザが長時間留まる場合に、複数のＶｏＬＴＥセル間でのハンドオーバが短時間に頻発する。ハンドオーバする間は、通信が途切れることになる。
【０００６】
しかしながら、特許文献１〜３に記載の無線基地局および携帯端末は、このような問題に対する解決策を開示していない。
【０００７】
それゆえに、本発明の目的は、複数のＶｏＬＴＥセル間でのハンドオーバが短時間に頻発することを防止することができる携帯端末および通信方法を提供することである。
【課題を解決するための手段】
【０００８】
本発明の一態様の携帯端末は、通信中のＶｏＬＴＥセルから受信した信号の品質またはレベルに基づいて、他のＶｏＬＴＥセルへのハンドオーバを制御する第１通信制御部と、ＶｏＬＴＥセル間でのハンドオーバの履歴が切替条件を満たしたときに、３ＧＰＰのセルと通信するように制御する第２通信制御部とを備える。
【発明の効果】
【０００９】
本発明の一態様によれば、複数のＶｏＬＴＥセル間でのハンドオーバが短時間に頻発することを防止することができる。
【図面の簡単な説明】
【００１０】
【図１】本発明の実施の形態の携帯端末の構成を表わす図である。
【図２】遷移リストの例を表わす図である。
【図３】本発明の実施の形態における遷移リストの記録、および３Ｇ網遷移フラグの設定手順を示すフローチャートである。
【図４】第１の動作例における携帯端末の位置を表わす図である。
【図５】第１の動作例における処理の流れを説明するための図である。
【図６】第２の動作例における携帯端末１の位置を表わす図である。
【図７】第２の動作例における処理の流れを説明するための図である。
【図８】第３の動作例における処理の流れを説明するための図である。
【発明を実施するための形態】
【００１１】
以下、本発明の実施の形態について、図面を用いて説明する。
図１は、本実施の形態の携帯端末の構成を表わす図である。
【００１２】
図１に示すように、携帯端末１は、無線通信部２と、通信環境検出部８と、ＶｏＬＴＥ網通信制御部９と、ＶｏＬＴＥセル遷移記録部１０と、遷移リスト記憶部１１と、３Ｇ網通信制御部１２と、３Ｇ網遷移フラグ記憶部１３と、ユーザ入力部６と、表示部７と、音声入力部３と、音声出力部４と、データ記憶部５とを備える。
【００１３】
通信環境検出部８は、ＶｏＬＴＥセルから受信した信号のレベルを検出する。
ＶｏＬＴＥ網通信制御部９は、ＶｏＬＴＥセルとの通信を制御する。ＶｏＬＴＥ網通信制御部９は、通信中のＶｏＬＴＥセルから受信した信号の品質またはレベルに基づいて、他のＶｏＬＴＥセルへのハンドオーバを制御する。ＶｏＬＴＥセルは、音声通話をデータ通信（パケット通信）として行なう方式に対応したセルであればよく、音声通話およびデータ通信に対応していればよい。
【００１４】
遷移リスト記憶部１１は、ＶｏＬＴＥセル間のハンドオーバの履歴を表わす遷移リストを記憶する。
【００１５】
図２は、遷移リストの例を表わす図である。
図２に示すように、遷移リストは、時刻と、ＶｏＬＴＥセルのＩＤとが対応して登録される。つまり、通信中のＶｏＬＴＥセルから受信した信号のレベルが閾値ＴＨ１以下に変化したときの時刻と、そのときに通信していたＶｏＬＴＥセルのＩＤが遷移リストに登録される。
【００１６】
ＶｏＬＴＥセル遷移記録部１０は、通信中のＶｏＬＴＥセルから受信した信号のレベルが閾値ＴＨ１以下に変化するごとに、遷移リスト記憶部１１に記憶されている遷移リストの情報を更新する。
【００１７】
３Ｇ網通信制御部１２は、Ｗ−ＣＤＭＡまたはＣＤＭＡ２０００などを利用した３ＧＰＰ（Third Generation Partnership Project）のセルとの通信を制御する。３Ｇ網通信制御部１２は、遷移リストを参照して、ＶｏＬＴＥセル間でのハンドオーバの履歴が切替条件を満たしたときに、３ＧＰＰのセルと通信するように制御する。
【００１８】
３Ｇ網遷移フラグ記憶部１３は、３ＧＰＰのセルとの通信を指示する３Ｇ網遷移フラグを記憶する。
【００１９】
ユーザ入力部６は、ユーザからの入力を受け付ける。ユーザ入力部６は、たとえば、静電容量方式、電磁誘導方式、または赤外線方式などのタッチパネル、キーパッド、視線検出装置、ジェスチャ検出装置などで構成される。
【００２０】
表示部７は、ユーザへの問い合わせ画面、または通知画面などを表示する。表示部７は、たとえば、液晶ディスプレイ、有機ＥＬ（Electro-Luminescence）ディスプレイなどで構成される。
【００２１】
音声入力部３には、ユーザの音声などが入力される。音声入力部３は、マイクで構成される。音声入力部３は、携帯電話１に内蔵されるか、または携帯端末１に接続されるイヤホンまたはヘッドフォンに搭載される。
【００２２】
音声出力部４は、受信した通話相手の音声などを出力する。音声出力部４は、たとえば、電磁式スピーカなどで構成される。その他に、たとえば、圧電振動素子から構成され、表面のパネルを振動させることでユーザに音声を伝えるレシーバまたはスピーカでもよい。音声出力部４は、携帯電話１に内蔵されるか、または携帯端末１に接続されるイヤホンまたはヘッドフォンに搭載される。
【００２３】
データ記憶部５は、送信するデータを記憶するとともに、受信したデータを記憶する。
無線通信部２は、ＶｏＬＴＥセルまたは３ＧＰＰのセルとの間で無線信号を送受信する。
【００２４】
図３は、本実施の形態における遷移リストの記録、および３Ｇ網遷移フラグの設定手順を示すフローチャートである。
【００２５】
ステップＳ１０１において、ＶｏＬＴＥ網通信制御部９は、ＶｏＬＴＥセルとの通信を行なっている。
【００２６】
ステップＳ１０２において、通信環境検出部８が検出した通信中のＶｏＬＴＥセルから受信した信号のレベルが閾値ＴＨ１以下に変化した場合に、処理がステップＳ１０３に進む。
【００２７】
ステップＳ１０３において、遷移リストに通信中のＬＴＥセルについての情報が登録されている場合に、処理がステップＳ１０４に進み、遷移リストに通信中のＬＴＥセルについての情報が登録されていない場合に、処理がステップＳ１０６に進む。
【００２８】
ステップＳ１０４において、３Ｇ網通信制御部１２は、遷移リストを参照して、通信中のＬＴＥセルから受信した信号のレベルが閾値ＴＨ１以下に変化した最後の時刻（つまり、遷移リストに最も遅く登録された時刻）を特定する。３Ｇ網通信制御部１２は、特定した最後の時刻と現在時刻との差Δｔを算出する。
【００２９】
ステップＳ１０５において、Δｔが閾値ＴＨ２以下の場合には、処理がステップＳ１１０に進み、Δｔが閾値ＴＨ２を超える場合には、処理がステップＳ１０６に進む。
【００３０】
ステップＳ１０６において、ＶｏＬＴＥセル遷移記録部１０は、受信した信号のレベルが閾値ＴＨ１以下に変化した時刻（現在時刻）を遷移リストに登録する。
【００３１】
ステップＳ１０７において、通信環境検出部８は、通信中のＶｏＬＴＥセルおよび近隣のセルから受信した信号のレベルまたは品質を含む測定レポートを送信する。
【００３２】
ステップＳ１０８において、ＶｏＬＴＥ網通信制御部９は、現在通信中のＶｏＬＴＥセル以外のＶｏＬＴＥセルにハンドオーバする。
【００３３】
ステップＳ１０９において、ＶｏＬＴＥセル遷移記録部１０は、ハンドオーバ前のＶｏＬＴＥセルのＩＤをステップＳ１０６で登録した時刻と対応させてと遷移リストに登録する。
【００３４】
ステップＳ１１０において、３Ｇ網通信制御部１２は、３Ｇ網遷移フラグをオンに設定する。これは、Δｔが閾値ＴＨ２以下の場合には、短い時間間隔でハンドオーバが行われており、携帯端末１が複数のＬＴＥセル間の境界に位置することが示されるためである。
【００３５】
ステップＳ１１１において、通信状態に応じた処理が行われる。たとえば、携帯端末がＶｏＬＴＥセルとデータ通信中に３Ｇ網遷移フラグがオンとなった場合には、データ通信が終了後、再度データ通信をユーザが指示した場合または音声通信（通話）をユーザが指示した場合には、３Ｇ網遷移フラグがオンであれば、３Ｇ網のセルへの通信接続が行われる。携帯端末がＶｏＬＴＥセルと音声通信中（通話中）に３Ｇ網遷移フラグがオンとなった場合には、ユーザに３Ｇ網のセルへの切り替えを問い合わせ、ユーザが許可した場合に、ＶｏＬＴＥでの通話を終了して、通話の再開のため３Ｇ網のセルへ通信接続する。
【００３６】
次に、図３に示す通信制御の手順に従う動作例について説明する。
（第１の動作例）
図４は、第１の動作例における携帯端末１の位置を表わす図である。
【００３７】
図４に示すように、携帯端末１は、ＶｏＬＴＥ−セルＡがカバーする領域と、ＶｏＬＴＥ−セルＢがカバーする領域の境界に位置する。また、携帯端末１は、３ＧＰＰに準拠した３Ｇ−セルαがカバーする領域内に位置する。このような場合には、従来は、携帯端末１はが一旦、ＶｏＬＴＥ−セルＡまたはＶｏＬＴＥ−セルＢと通信接続した後は、通信環境が不安定のため、２つのＶｏＬＴＥセルの中の通信中のセル以外のＶｏＬＴＥセルへのハンドオーバを繰り替えすことになる。これに対して、本実施の形態では、携帯端末１は、このようなハンドオーバの繰り返しを避け、３Ｇ−セルαへのハンドオーバを行なう。
【００３８】
図５は、第１の動作例における処理の流れを説明するための図である。
図５を参照して、ステップＳ２０１において、携帯端末１では、ＶｏＬＴＥ網通信制御部９が、ＶｏＬＴＥ−セルＡとの間でデータ通信を行っている。
【００３９】
次に、ステップＳ２０２において、携帯端末１では、通信環境検出部８が、ＶｏＬＴＥ−セルＡから受信した信号のレベルが閾値ＴＨ１以下に低下したことを検出する。
【００４０】
次に、ステップＳ２０３において、ＶｏＬＴＥセル遷移記録部１０は、現在時刻（第１時刻）を遷移リストに登録する。
【００４１】
次に、ステップＳ２０４において、通信環境検出部８は、通信中のＶｏＬＴＥ−セルＡおよび近隣のセルＢから受信した信号のレベルまたは品質を含む測定レポートをＶｏＬＴＥ−セルＡへ送信する。
【００４２】
次に、ステップＳ２０５において、ＶｏＬＴＥ−セルＡが、携帯端末に対して、ＶｏＬＴＥ−セルＢへのハンドオーバを指示する。
【００４３】
次に、ステップＳ２０６において、携帯端末１では、ＶｏＬＴＥ網通信制御部９が、ＶｏＬＴＥ−セルＢに対して、ハンドオーバを要求する。
【００４４】
次に、ステップＳ２０７において、ＶｏＬＴＥ−セルＢが、携帯端末に対して、ハンドオーバを許可する。
【００４５】
次に、ステップＳ２０８において、携帯端末１では、ＶｏＬＴＥセル遷移記録部１０は、ハンドオーバ前のＶｏＬＴＥ−セルＡのＩＤをステップＳ２０３で登録した時刻と対応させて遷移リストに登録する。
【００４６】
次に、ステップＳ２０９において、携帯端末１では、ＶｏＬＴＥ網通信制御部９が、ＶｏＬＴＥ−セルＢとの間でデータ通信を行なう。
【００４７】
次に、ステップＳ２１０において、携帯端末１では、通信環境検出部８が、ＶｏＬＴＥ−セルＢから受信した信号のレベルが閾値ＴＨ１以下に低下したことを検出する。
【００４８】
次に、ステップＳ２１１において、ＶｏＬＴＥセル遷移記録部１０は、現在時刻（第２時刻）を遷移リストに登録する。
【００４９】
次に、ステップＳ２１２において、通信環境検出部８は、通信中のＶｏＬＴＥ−セルＢおよび近隣のセルＡから受信した信号のレベルまたは品質を含む測定レポートをＶｏＬＴＥ−セルＢへ送信する。
【００５０】
次に、ステップＳ２１３において、ＶｏＬＴＥ−セルＢが、携帯端末に対して、ＶｏＬＴＥ−セルＡへのハンドオーバを指示する。
【００５１】
次に、ステップＳ２１４において、携帯端末１では、ＶｏＬＴＥ網通信制御部９が、ＶｏＬＴＥ−セルＡに対して、ハンドオーバを要求する。
【００５２】
次に、ステップＳ２１５において、ＶｏＬＴＥ−セルＡが、携帯端末に対して、ハンドオーバを許可する。
【００５３】
次に、ステップＳ２１６において、携帯端末１では、ＶｏＬＴＥセル遷移記録部１０は、ハンドオーバ前のＶｏＬＴＥ−セルＢのＩＤをステップＳ２１１で登録した時刻と対応させて遷移リストに登録する。
【００５４】
次に、ステップＳ２１７において、携帯端末１では、ＶｏＬＴＥ網通信制御部９が、ＶｏＬＴＥ−セルＡとの間でデータ通信を行なう。
【００５５】
次に、ステップＳ２１８において、携帯端末１では、通信環境検出部８が、ＶｏＬＴＥ−セルＡから受信した信号のレベルが閾値ＴＨ１以下に低下したことを検出する。
【００５６】
次に、ステップＳ２１９において、携帯端末１では、３Ｇ網通信制御部１２が、遷移リスト中に登録されているＬＴＥ−セルＡから受信した信号が閾値ＴＨ１以下に変化した最後の時刻（第１時刻）を特定する。３Ｇ網通信制御部１２が、第１時刻と現在時刻との差が閾値ＴＨ２以下であると判定し、３Ｇ網遷移フラグをオンにする。
【００５７】
次に、ステップＳ２２０において、携帯端末１では、データ通信が終了した後、再度、ユーザがデータ通信を指示する。
【００５８】
次に、ステップＳ２２１において、３Ｇ網通信制御部１２が、３Ｇ−セルαに対して、通信接続を要求する。
【００５９】
次に、ステップＳ２２２において、３Ｇ−セルαが、携帯端末に対して、通信接続を許可する。
【００６０】
次に、ステップＳ２２３において、携帯端末１では、３Ｇ網通信制御部１２が、３Ｇ−セルαとの間でデータ通信を行なう。
【００６１】
（第２の動作例）
図６は、第２の動作例における携帯端末１の位置を表わす図である。
【００６２】
図６に示すように、携帯端末１は、ＬＴＥ−セルＡがカバーする領域と、ＶｏＬＴＥ−セルＢがカバーする領域と、ＶｏＬＴＥ−セルＣがカバーする領域の境界に位置する。また、携帯端末１は、３ＧＰＰに準拠した３Ｇ−セルαがカバーする領域内に位置する。このような場合には、従来は、携帯端末１はが一旦、ＶｏＬＴＥ−セルＡ、ＶｏＬＴＥ−セルＢ、またはＶｏＬＴＥ−セルＣと通信接続した後は、通信環境が不安定のため、３つのＶｏＬＴＥセルの中の通信中のセル以外のＶｏＬＴＥセルへのハンドオーバを繰り替えすことになる。これに対して、本実施の形態では、携帯端末１は、このようなハンドオーバの繰り返しを避け、３Ｇ−セルαへのハンドオーバを行なう。
【００６３】
図７は、第２の動作例における処理の流れを説明するための図である。
図７を参照して、ステップＳ３０１において、携帯端末１では、ＶｏＬＴＥ網通信制御部９が、ＶｏＬＴＥ−セルＡとの間でデータ通信を行っている。
【００６４】
次に、ステップＳ３０２において、携帯端末１では、通信環境検出部８が、ＶｏＬＴＥ−セルＡから受信した信号のレベルが閾値ＴＨ１以下に低下したことを検出する。
【００６５】
次に、ステップＳ３０３において、通信環境検出部８は、通信中のＶｏＬＴＥ−セルＡおよび近隣のセルＢ、Ｃから受信した信号のレベルまたは品質を含む測定レポートをＶｏＬＴＥ−セルＡへ送信する。
【００６６】
次に、ステップＳ３０４において、ＶｏＬＴＥ−セルＡが、携帯端末に対して、ＶｏＬＴＥ−セルＢへのハンドオーバを指示する。
【００６７】
次に、ステップＳ３０５において、携帯端末１では、ＶｏＬＴＥ網通信制御部９が、ＶｏＬＴＥ−セルＢに対して、ハンドオーバを要求する。
【００６８】
次に、ステップＳ３０６において、ＶｏＬＴＥ−セルＢが、携帯端末に対して、ハンドオーバを許可する。
【００６９】
次に、ステップＳ３０７において、携帯端末１では、ＶｏＬＴＥセル遷移記録部１０は、ハンドオーバした時刻（第１時刻）と、ハンドオーバ前のＶｏＬＴＥ−セルＡのＩＤととを対応させて遷移リストに登録する。
【００７０】
次に、ステップＳ３０８において、携帯端末１では、ＶｏＬＴＥ網通信制御部９が、ＶｏＬＴＥ−セルＢとの間でデータ通信を行なう。
【００７１】
次に、ステップＳ３０９において、携帯端末１では、通信環境検出部８が、ＶｏＬＴＥ−セルＢから受信した信号のレベルが閾値ＴＨ１以下に低下したことを検出する。
【００７２】
次に、ステップＳ３１０において、通信中のＶｏＬＴＥ−セルＢおよび近隣のセルＡ、Ｃから受信した信号のレベルまたは品質を含む測定レポートをＶｏＬＴＥ−セルＢへ送信する。
【００７３】
次に、ステップＳ３１１において、ＶｏＬＴＥ−セルＢが、携帯端末に対して、ＶｏＬＴＥ−セルＣへのハンドオーバを指示する。
【００７４】
次に、ステップＳ３１２において、携帯端末１では、ＶｏＬＴＥ網通信制御部９が、ＶｏＬＴＥ−セルＣに対して、ハンドオーバを要求する。
【００７５】
次に、ステップＳ３１３において、ＶｏＬＴＥ−セルＣが、携帯端末に対して、ハンドオーバを許可する。
【００７６】
次に、ステップＳ３１４において、携帯端末１では、ＶｏＬＴＥセル遷移記録部１０は、ハンドオーバした時刻（第２時刻）と、ハンドオーバ前のＶｏＬＴＥ−セルＢのＩＤととを対応させて遷移リストに登録する。
【００７７】
次に、ステップＳ３１５において、携帯端末１では、ＶｏＬＴＥ網通信制御部９が、ＶｏＬＴＥ−セルＣとの間でデータ通信を行なう。
【００７８】
次に、ステップＳ３１６において、携帯端末１では、通信環境検出部８が、ＶｏＬＴＥ−セルＣから受信した信号のレベルが閾値ＴＨ１以下に低下したことを検出する。
【００７９】
次に、ステップＳ３１７において、通信中のＶｏＬＴＥ−セルＣおよび近隣のセルＡ、Ｂから受信した信号のレベルまたは品質を含む測定レポートをＶｏＬＴＥ−セルＣへ送信する。
【００８０】
次に、ステップＳ３１８において、ＶｏＬＴＥ−セルＣが、携帯端末に対して、ＶｏＬＴＥ−セルＡへのハンドオーバを指示する。
【００８１】
次に、ステップＳ３１９において、携帯端末１では、ＶｏＬＴＥ網通信制御部９が、ＶｏＬＴＥ−セルＡに対して、ハンドオーバを要求する。
【００８２】
次に、ステップＳ３２０において、ＶｏＬＴＥ−セルＡが、携帯端末に対して、ハンドオーバを許可する。
【００８３】
次に、ステップＳ３２１において、携帯端末１では、ＶｏＬＴＥセル遷移記録部１０は、ハンドオーバした時刻（第３時刻）と、ハンドオーバ前のＶｏＬＴＥ−セルＣのＩＤととを対応させて遷移リストに登録する。
【００８４】
次に、ステップＳ３２２において、携帯端末１では、ＶｏＬＴＥ網通信制御部９が、ＶｏＬＴＥ−セルＡとの間でデータ通信を行なう。
【００８５】
次に、ステップＳ３２３において、携帯端末１では、通信環境検出部８が、ＶｏＬＴＥ−セルＡから受信した信号のレベルが閾値ＴＨ１以下に低下したことを検出する。
【００８６】
次に、ステップＳ３２４において、携帯端末１では、３Ｇ網通信制御部１２が、遷移リスト中のセルＡとの最後の通信終了時刻（第１時刻）と現在時刻との差が閾値ＴＨ２以下であると判定し、３Ｇ網遷移フラグをオンにする。
【００８７】
次に、ステップＳ３２５において、携帯端末１では、データ通信が終了した後、ユーザが音声通信（通話）を指示する。
【００８８】
次に、ステップＳ３２６において、３Ｇ網通信制御部１２が、３Ｇ−セルαに対して、通信接続を要求する。
【００８９】
次に、ステップＳ３２７において、３Ｇ−セルαが、携帯端末に対して、通信接続を許可する。
【００９０】
次に、ステップＳ３２８において、携帯端末１では、３Ｇ網通信制御部１２が、３Ｇ−セルαとの間で音声通信を行なう。
【００９１】
（第３の動作例）
第１の動作例では、ＶｏＬＴＥセルとの間でデータ通信後、再度データ通信する際に、３Ｇ網セルへ通信接続して、データ通信を行なう例について説明した。本動作例は、ＶｏＬＴＥセルとの間で音声通信中に、３Ｇ網セルへハンドオーバして、音声通信を行なう例について説明する。
【００９２】
第３の動作例における携帯端末１の位置は、図４に示す第１の動作例と同様なので、説明は繰り返さない。
【００９３】
図８は、第３の動作例における処理の流れを説明するための図である。
図８を参照して、ステップＳ４０１において、携帯端末１では、ＶｏＬＴＥ網通信制御部９が、ＶｏＬＴＥ−セルＡとの間で音声通信を行っている。
【００９４】
次に、ステップＳ４０２において、携帯端末１では、通信環境検出部８が、ＶｏＬＴＥ−セルＡから受信した信号のレベルが閾値ＴＨ１以下に低下したことを検出する。
【００９５】
次に、ステップＳ４０３において、ＶｏＬＴＥセル遷移記録部１０は、現在時刻（第１時刻）を遷移リストに登録する。
【００９６】
次に、ステップＳ４０４において、通信環境検出部８は、通信中のＶｏＬＴＥ−セルＡおよび近隣のセルＢから受信した信号のレベルまたは品質を含む測定レポートをＶｏＬＴＥ−セルＡへ送信する。
【００９７】
次に、ステップＳ４０５において、ＶｏＬＴＥ−セルＡが、携帯端末に対して、ＶｏＬＴＥ−セルＢへのハンドオーバを指示する。
【００９８】
次に、ステップＳ４０６において、携帯端末１では、ＶｏＬＴＥ網通信制御部９が、ＶｏＬＴＥ−セルＢに対して、ハンドオーバを要求する。
【００９９】
次に、ステップＳ４０７において、ＶｏＬＴＥ−セルＢが、携帯端末に対して、ハンドオーバを許可する。
【０１００】
次に、ステップＳ４０８において、携帯端末１では、ＶｏＬＴＥセル遷移記録部１０は、ハンドオーバ前のＶｏＬＴＥ−セルＡのＩＤをステップＳ４０３で登録した時刻と対応させて遷移リストに登録する。
【０１０１】
次に、ステップＳ４０９において、携帯端末１では、ＶｏＬＴＥ網通信制御部９が、ＶｏＬＴＥ−セルＢとの間で音声通信を行なう。
【０１０２】
次に、ステップＳ４１０において、携帯端末１では、通信環境検出部８が、ＶｏＬＴＥ−セルＢから受信した信号のレベルが閾値ＴＨ１以下に低下したことを検出する。
【０１０３】
次に、ステップＳ４１１において、ＶｏＬＴＥセル遷移記録部１０は、現在時刻（第２時刻）を遷移リストに登録する。
【０１０４】
次に、ステップＳ４１２において、通信環境検出部８は、通信中のＶｏＬＴＥ−セルＢおよび近隣のセルＡから受信した信号のレベルまたは品質を含む測定レポートをＶｏＬＴＥ−セルＢへ送信する。
【０１０５】
次に、ステップＳ４１３において、ＶｏＬＴＥ−セルＢが、携帯端末に対して、ＶｏＬＴＥ−セルＡへのハンドオーバを指示する。
【０１０６】
次に、ステップＳ４１４において、携帯端末１では、ＶｏＬＴＥ網通信制御部９が、ＶｏＬＴＥ−セルＡに対して、ハンドオーバを要求する。
【０１０７】
次に、ステップＳ４１５において、ＶｏＬＴＥ−セルＡが、携帯端末に対して、ハンドオーバを許可する。
【０１０８】
次に、ステップＳ４１６において、携帯端末１では、ＶｏＬＴＥセル遷移記録部１０は、ハンドオーバ前のＶｏＬＴＥ−セルＢのＩＤをステップＳ４１１で登録した時刻と対応させて遷移リストに登録する。
【０１０９】
次に、ステップＳ４１７において、携帯端末１では、ＶｏＬＴＥ網通信制御部９が、ＶｏＬＴＥ−セルＡとの間で音声通信を行なう。
【０１１０】
次に、ステップＳ４１８において、携帯端末１では、通信環境検出部８が、ＶｏＬＴＥ−セルＡから受信した信号のレベルが閾値ＴＨ１以下に低下したことを検出する。
【０１１１】
次に、ステップＳ４１９において、携帯端末１では、３Ｇ網通信制御部１２が、遷移リスト中に登録されているＬＴＥ−セルＡから受信した信号が閾値ＴＨ１以下に変化した最後の時刻（第１時刻）を特定する。３Ｇ網通信制御部１２が、第１時刻と現在時刻との差が閾値ＴＨ２以下であると判定し、３Ｇ網遷移フラグをオンにする。
【０１１２】
次に、ステップＳ４２０において、携帯端末１では、３Ｇ網通信制御部１２が、音声通信中（通話中）に、３Ｇ網への遷移を許可するかどうかを問い合わせる画面を表示し、ユーザが３Ｇ網への遷移をユーザが許可すると、ＶｏＬＴＥセルＡとの間の音声通信を終了する。
【０１１３】
次に、ステップＳ４２１において、携帯端末１では、３Ｇ網通信制御部１２が、３Ｇ−セルαに対して、通信接続を要求する。
【０１１４】
次に、ステップＳ４２２において、３Ｇ−セルαが、携帯端末１に対して、通信接続を許可する。
【０１１５】
次に、ステップＳ４２３において、携帯端末１では、３Ｇ網通信制御部１２が、３Ｇ−セルαとの間で音声通信を行なう。
【０１１６】
以上のように、本実施の形態によれば、ＶｏＬＴＥセル間でのハンドオーバの履歴を表す遷移リストを参照して、ハンドオーバが短時間に頻発するような状態を素早く検知して、３ＧＰＰセルとの通信に切り替えるので、複数のＶｏＬＴＥセル間でのハンドオーバが短時間に頻発するような事態を防止できる。
【０１１７】
また、本実施の形態では、携帯端末側が、３ＧＰＰセルへのハンドオーバを主導するので、ＬＴＥセル（基地局側）がＳＲＶＣＣ（Single Radio Voice Cell Community）に対応していなくても、３ＧＰＰセルへのハンドオーバが可能である。
【０１１８】
（変形例）
本発明は、上記の実施形態に限定されるものではなく、たとえば以下のような変形例も含まれる。
【０１１９】
（１）信号の品質
本発明の実施形態では、通信中のＶｏＬＴＥセルから受信した信号のレベルが閾値以下に変化したときに、他のＶｏＬＴＥセルへのハンドオーバ制御（測定レポートの送信）が開始され、かつ遷移リストへの時刻の登録が行われるものとしたが、これに限定するものではない。通信中のＶｏＬＴＥセルから受信した信号の品質（フレームエラーレートなど）が閾値以下に変化したときに、これらが行われるものとしてもよい。
【０１２０】
（２）ユーザによる許可
第３の動作例では、３Ｇ網への遷移を許可するかどうかをユーザに問い合わせるものとしたが、第１および第２の動作例でも、３Ｇ網のセルへ発信するかどうかを許可するかをユーザに問い合わせるものとしてもよい。
【０１２１】
（３）３ＧＰＰセルからＬＴＥセルへのハンドオーバ
３ＧＰＰセルへ通信接続した後、３ＧＰＰセルとの通信環境も悪い場合には、ＬＴＥセルへハンドオーバするものとしてもよい。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２３】
１  携帯端末、２  無線通信部、３  音声入力部、４  音声出力部、５  データ記憶部、６  ユーザ入力部、７  表示部、８  通信環境検出部、９  ＶｏＬＴＥ網通信制御部、１０  ＶｏＬＴＥセル遷移記録部、１１  遷移リスト記憶部、１２  ３Ｇ網通信制御部、１３  ３Ｇ網遷移フラグ記憶部。
【図１】
2016072643.tif 000003
【図２】
2016072643.tif 000004
【図３】
2016072643.tif 000005
【図４】
2016072643.tif 000006
【図５】
2016072643.tif 000007
【図６】
2016072643.tif 000008
【図７】
2016072643.tif 000009
【図８】
2016072643.tif 000010